(57)【要約】【課題】  外乱ノイズの影響を受けることなく、センターポールとボイスコイルボビンとの間で形成される静電容量を正確に検出することができるスピーカーを提供する。【解決手段】  センターポール５とボイスコイルボビン４との間に形成される静電容量を検出するものであり、ケース９、フレーム１０、センターポール５のいずれかに、検出された静電容量を特定の電気信号に変換して出力する変換回路１１を搭載したことを特徴としている。これにより検出器と変換回路１１とを接続するリード線１１ｆを短くすることができ、リード線１１ｆに影響を及ぼす外乱ノイズを最小限に抑制することができる。【選択図】図１
2007020152.tif 000002
【特許請求の範囲】
【請求項１】
センターポールとボイスコイルボビンとの間に形成される静電容量を検出するスピーカーにおいて、
前記センターポール及び前記ボイスコイルボビンの少なくともいずれかを支持する支持部材と前記センターポールとのいずれかに、検出された前記静電容量を電気信号に変換して出力する変換回路を搭載したことを特徴とするスピーカー。
【請求項２】
前記変換回路を前記センターポールの先端に配置することを特徴とする請求項１記載のスピーカー。
【請求項３】
前記ボイスコイルボビンは非金属の筒体をベースにして構成されており、この筒体の外周面には非磁性の導電体膜が形成されていることを特徴とする請求項２記載のスピーカー。
【請求項４】
前記導電体膜を接地したことを特徴とする請求項３記載のスピーカー。
【請求項５】
前記ボイスコイルボビンは非金属の筒体をベースにして構成されており、この筒体の内側には前記センターポールとの間でコンデンサを形成するための導電体膜が形成され、前記コンデンサの静電容量を前記センターポールの先端に配置した前記変換回路により検出することを特徴とする請求項２記載のスピーカー。
【請求項６】
前記筒体の外側には接地されている導電体膜が形成されていることを特徴とする請求項５記載のスピーカー。
【請求項７】
前記センターポールの先端から基端にかけて貫通孔を形成し、この貫通孔に前記変換回路から出力される電気信号を出力するリード線を通したことを特徴とする請求項５に記載のスピーカー。
【請求項８】
前記センターポールの先端から基端にかけて貫通孔を形成し、この貫通孔に前記電気信号を出力するリード線を通したことを特徴とする請求項１に記載のスピーカー。
【請求項９】
前記変換回路のマイナス側端子を接地したことを特徴とする請求項１ないし８のいずれか１つに記載のスピーカー。
【請求項１０】
センターポールとボイスコイルボビンとの間に形成される静電容量を検出するスピーカーにおいて、
検出された前記静電容量を特定の電気信号に変換して出力する変換回路を振動板に搭載したことを特徴とするスピーカー。
【発明の詳細な説明】
【技術分野】
【０００１】
本発明は、スピーカーに関するものであり、さらに詳しくは振動板の動作状態を検出するスピーカーに関するものである。
【背景技術】
【０００２】
スピーカーの音質を向上させる技術としてＭＦＢ（Ｍｏｒｔｉｏｎａｌ  Ｆｅｅｄ  Ｂａｃｋ）回路を搭載したスピーカーが知られている。このＭＦＢ回路は、スピーカーに入力された音声情報を示す電気信号（以下、「音声信号」と記す）に基づいて振動する振動板の動作状態を検出し、その検出結果に基づいて振動板をフィードバック制御するものであり、これにより特に低音域で生じ易い音の歪みを解消することができる。したがって、一般的にＭＦＢ回路は、低音域での再生が難しいとされる小型のスピーカーで採用されることが効果的であるとされている。
【０００３】
ＭＦＢ回路に関する技術としては、例えば特許文献１〜５が開示されている。特許文献１〜５ではいずれも電極間に形成される静電容量の変化を検出することによって振動板の動作状態を検出している。具体的には、振動板またはこの振動板を振動させるためのボイスコイルボビンと呼ばれる電磁コイルに電極（以下、「可動電極」と記す）を固定するとともに、この可動電極に対して対向するように電極（以下、「固定電極」と記す）を固定し、可動電極が固定電極に対して相対的に可動することによって変化した静電容量を検出器で検出して、それを変換回路で電気信号（以下、「検出信号」と記す）に変換して出力する。そして、検出信号と音声信号とを比較装置（例えば、ＣＰＵ）で比較し、その比較結果、すなわち、検出信号の出力レベルと音声信号の出力レベルとの差分に基づいて振動板の動作を適宜に制御する。
【特許文献１】特開昭５２−７９６４４号
【特許文献２】特開昭５３−１２３１９号
【特許文献３】特開昭５３−１２３２０号
【特許文献４】特開昭５３−１２３２１号
【特許文献５】実開昭５７−９６５８９号
【発明の開示】
【発明が解決しようとする課題】
【０００４】
しかしながら、従来のスピーカーでは、変換回路は検出器から離れた箇所に設置されているアンプに取り付けられていたため、必然として各電極と変換回路とを繋ぐリード線が長くなり、このリード線に流れる電流がスピーカーの内部及び外部の様々な電磁気現象によって引き起こされる静電気やスピーカーの周辺に設置されている電子機器から出力される電磁波など（以下、これらを「外乱ノイズ」と記す）の影響を受けてしまっていた。これにより電極間で形成される真の静電容量を変換回路で検出信号に変換することができなくなってしまうという問題があった。したがって、従来の技術では、振動板の動作状態を正しく検出することができず、特に小型のスピーカーにおける低音域での音の歪を十分に解消することができなかった。
【０００５】
本発明は、上記課題を解決するためになされたものであり、外乱ノイズの影響を受けることなく、電極間で形成される静電容量を正確に検出することができるスピーカーを提供することを目的とする。
【課題を解決するための手段】
【０００６】
かかる目的を達成するために、本発明にかかるスピーカーは、センターポールとボイスコイルボビンとの間に形成される静電容量を検出するものであり、前記センターポール及び前記ボイスコイルボビンの少なくともいずれかを支持する支持部材と前記センターポールとのいずれかに、検出された前記静電容量を特定の電気信号に変換して出力する変換回路を搭載したことを特徴としている。
【０００７】
したがって、このスピーカーによると、静電容量を検出する箇所と変換回路との距離が短くなり、静電容量を検出する箇所と変換回路とを繋ぐリード線を短くすることができる。これにより外乱ノイズがリード線を流れる電流に及ぼす影響を抑制することができ、センターポールとボイスコイルボビンとの間で形成される微少な静電容量を正確に変換回路に入力することができる。
【０００８】
上記本発明のスピーカーにおいては、変換回路をセンターポールの先端に配置することが好ましい。この場合には、静電容量を検出する箇所と変換回路との距離がより一層短くなり、静電容量を検出する箇所と変換回路とを繋ぐリード線を短くすることができる。これにより外乱ノイズがリード線を流れる電流に及ぼす影響を最小限に抑えることができ、センターポールとボイスコイルボビンとの間で形成される微少な静電容量をより一層正確に変換回路に入力することができる。
【０００９】
また、上記本発明のスピーカーにおいては、ボイスコイルボビンは非金属の筒体をベースにして構成され、この筒体の外周面には非磁性の導電体膜が形成されている構成とすることができる。この場合には、外乱ノイズを導電体膜により排除することができるので、センターポールの先端に取り付けられた変換回路、及び静電容量を検出する箇所と変換回路とを繋ぐリード線は外乱ノイズの影響を受けなくなる。したがって、センターポールとボイスコイルボビンとの間で形成される微少な静電容量をより一層正確に変換回路に入力することができる。また、変換回路は、検出された静電容量を正確に電気信号に変換することができる。この場合、ボイスコイルボビンは非金属の筒体をベースにして構成し、この筒体の内側にはセンターポールとの間でコンデンサを形成する導電体膜を形成し、コンデンサの静電容量をセンターポールの先端に配置した変換回路により検出するように構成することが好ましい。
【００１０】
また、上記本発明のスピーカーにおいては、上記筒体の外周面に形成した非磁性の導電体膜を接地しておくことが好ましい。このようにしておけば、外乱ノイズを上記導電体膜により排除することができる。例えば、センターポールの先端に変換回路を取り付けた場合、筒体の外周面が外乱ノイズを遮断するシールドとして機能するので、変換回路、及びこの変換回路と静電容量を検出する箇所とを繋ぐリード線 は外乱ノイズの影響を受けなくなる。したがって、センターポールとボイスコイルボビンとの間で形成される微少な静電容量をより一層正確に変換回路に入力することができる。また、変換回路は、検出された静電容量をより一層正確に電気信号に変換することができる。
【００１１】
また、本発明のスピーカーにおいては、センターポールの先端から基端にかけて貫通孔を形成し、この貫通孔に電気信号、具体的には変換回路の出力信号を出力するリード線を通すように構成することが好ましい。この場合には、外乱ノイズをセンターポールにより排除することができる。これによりセンターポールが外乱ノイズを遮断するシールドとして機能するので、センターポール内を通るリード線に外乱ノイズの影響を与えないようにすることができる。したがって、変換回路から外部に正確な電気信号を出力することができる。
【００１２】
また、本発明のスピーカーにおいて、変換回路のマイナス側端子を接地するようにしておけば、変換回路に存在する浮遊静電容量を抑制することができ、また、外乱ノイズも排除することができる。
【００１３】
また、他の本発明にかかるスピーカーは、センターポールとボイスコイルボビンとの間に形成される静電容量を検出するものであり、検出された前記静電容量を特定の電気信号に変換して出力する変換回路を振動板に搭載したことを特徴としている。
【００１４】
したがって、このスピーカーによると、静電容量を検出する箇所と変換回路との距離が短くなり、静電容量を検出する箇所と変換回路とを繋ぐリード線を短くすることができる。これにより外乱ノイズがリード線を流れる電流に及ぼす影響を抑制することができ、センターポールとボイスコイルボビンとの間で形成される微少な静電容量を正確に変換回路に入力することができる。
【発明の効果】
【００１５】
以上のように、本発明のスピーカーによると、センターポール及びボイスコイルボビンの少なくともいずれかを支持する支持部材とセンターポールとのいずれかに、検出された前記静電容量を特定の電気信号に変換して出力する変換回路を搭載したので、静電容量を検出する箇所と変換回路との距離が短くなり、静電容量を検出する箇所と変換回路とを繋ぐリード線を短くすることができ、スピーカーの小型化を図ることが可能になるとともに、外乱ノイズがリード線を流れる電流に及ぼす影響を抑制することができ、センターポールとボイスコイルボビンとの間で形成される微少な静電容量を正確に変換回路に入力することができる。これにより変換回路は静電容量を正確な電気信号として出力することができる。例えば、その電気信号をＭＦＢ回路に効果的に活用することができ、従来の問題であったスピーカーから発せられる音の歪を解消することができる。したがって、小型のスピーカーであっても大型のスピーカー並みの低音域を実現することができる。
【００１６】
また、変換回路をセンターポールの先端に配置した本発明によれば、静電容量を検出する箇所と変換回路との距離がより一層短くなり、静電容量を検出する箇所と変換回路とを繋ぐリード線を短くすることができ、スピーカーをより一層小型化することが可能になるとともに、外乱ノイズがリード線を流れる電流に及ぼす影響を最小限に抑えることができ、センターポールとボイスコイルボビンとの間で形成される微少な静電容量をより一層正確に変換回路に入力することができる。これにより変換回路は静電容量を正確な電気信号として出力することができる。例えば、その電気信号をＭＦＢ回路に効果的に活用することができるので、従来の問題であったスピーカーから発せられる音の歪を解消することができる。したがって、小型のスピーカーであっても大型のスピーカー並みの低音域を実現することができる。
【００１７】
また、ボイスコイルボビンが非金属の筒体をベースにして構成されており、この筒体の外周面に非磁性の導電体膜が形成されている本発明によれば、外乱ノイズを導電体膜により排除することができ、センターポールの先端に取り付けられた変換回路、及び静電容量を検出する箇所と変換回路とを繋ぐリード線に外乱ノイズの影響を与えないようにすることができる。これにより変換回路は静電容量を正確な電気信号として出力することができる。例えば、その電気信号をＭＦＢ回路に効果的に活用することができるので、従来の問題であったスピーカーから発せられる音の歪を解消することができる。したがって、小型のスピーカーであっても大型のスピーカー並みの低音域を実現することができる。
【００１８】
また、上記筒体の外周面に形成した非磁性の導電体膜を接地した本発明によれば、外乱ノイズを上記導電体膜により排除することができる。例えば、センターポールの先端に取り付けられた変換回路、及びこの変換回路と静電容量を検出する箇所とを繋ぐリード線に外乱ノイズを与えないようにすることができる。これによりセンターポールとボイスコイルボビンとの間で形成される微少な静電容量をより一層正確に変換回路に入力することができ、また、変換回路は静電容量をより一層正確に電気信号に変換することができる。例えば、その電気信号をＭＦＢ回路に効果的に活用することができるので、従来の問題であったスピーカーから発せられる音の歪を解消することができる。したがって、小型のスピーカーであっても大型のスピーカー並みの低音域を実現することができる。
【００１９】
また、センターポールの先端から基端にかけて貫通孔を形成し、この貫通孔に電気信号を出力するリード線を通すようにした本発明によれば、外乱ノイズをセンターポールにより排除することができ、上記リード線に外乱ノイズを与えないようにすることができる。これにより変換回路から外部に正確な電気信号を出力することができる。例えば、その電気信号をＭＦＢ回路に効果的に活用することができるので、従来の問題であったスピーカーから発せられる音の歪を解消することができる。したがって、小型のスピーカーであっても大型のスピーカー並みの低音域を実現することができる。
【００２０】
また、変換回路のマイナス側端子を接地した本発明によれば、変換回路に存在する浮遊静電容量を抑制することができ、且つ、外乱ノイズを排除することができる。これにより変換回路はセンターポールとボイスコイルボビンとの間で形成される微少な静電容量をより一層正確な電気信号として出力することができる。例えば、その電気信号をＭＦＢ回路に効果的に活用することができるので、従来の問題であったスピーカーから発せられる音の歪を解消することができる。したがって、小型のスピーカーであっても大型のスピーカー並みの低音域を実現することができる。
【００２１】
また、別の本発明にかかるスピーカーは、検出された前記静電容量を特定の電気信号に変換して出力する変換回路を振動板に搭載したので、静電容量を検出する箇所と変換回路との距離が短くなり、静電容量を検出する箇所と変換回路とを繋ぐリード線を短くすることができ、スピーカーの小型化を図ることが可能になるとともに、外乱ノイズがリード線を流れる電流に及ぼす影響を抑制することができ、センターポールとボイスコイルボビンとの間で形成される微少な静電容量を正確に変換回路に入力することができる。これにより変換回路は静電容量を正確な電気信号として出力することができる。例えば、その電気信号をＭＦＢ回路に効果的に活用することができ、従来の問題であったスピーカーから発せられる音の歪を解消することができる。したがって、小型のスピーカーであっても大型のスピーカー並みの低音域を実現することができる。
【発明を実施するための最良の形態】
【００２２】
以下、本発明の構成を図面に示す最良の形態に基づいて詳細に説明する。
【００２３】
図１〜図３に本発明のスピーカーの一実施形態を示す。本発明のスピーカー１は、センターポール５とボイスコイルボビン４との間に形成される静電容量を検出するものであり、ケース９、フレーム１０（センターポール及びボイスコイルボビンの少なくともいずれかを支持する支持部材）、センターポール５のいずれかに、検出された静電容量を特定の電気信号に変換して出力する変換回路１１を搭載したことを特徴としている。
【００２４】
図１に示すように、スピーカー１は、振動板２、３、ボイスコイルボビン４、センターポール５、マグネット６、７、ヨーク８、ケース（支持部材）９、フレーム（支持部材）１０、及び変換回路１１を備えている。ケース９は升状に形成されている。このケース９にはセンターポール５、マグネット６、７、及びヨーク８が収納されており、これらはケース９の内壁面に接着剤またはビスなどで固着されている。
【００２５】
センターポール５は鉄製であり、円柱状のセンターポール本体５ａと、このセンターポール本体５ａの基端に形成されている円盤状のフランジ５ｂとから構成されている。また、センターポール５の先端の中央部には、貫通孔５ｃが形成されており、この貫通孔５ｃはセンターポール５の先端から基端にかけて貫通している。このようにして構成されているセンターポール５は、センターポール本体５ａの先端部分がケース９の開口９ａの略中央からケース９の外部に突出するようにケース９に配置されている。
【００２６】
センターポール５及びケース９は、エンクロージャーと呼ばれる筐体（不図示）に接続され、接地されている。フランジ５ｂの開口９ａに対向している面には、センターポール本体５ａを中心とするリング状のマグネット６が磁気吸着されている。マグネット６における開口９ａに対向している面には略円板状のヨーク８が磁気吸着されており、ヨーク８とフランジ５ｂとによってマグネット６が挟まれた状態となっている。フランジ５ｂにおけるケース９の底部９ｂに対向している面と底部９ｂとの間にはマグネット６と同形状のリング状のマグネット７が設置されている。このマグネット７は、フランジ５ｂに当接する側の極がマグネット６のフランジ５ｂに当接する側の極と同極になるように底部９ｂに配置されている。これによりマグネット６とヨーク８とセンターポール５との間で安定した磁束ループ（後述）が形成される。
【００２７】
略円板状のヨーク８は、円柱状のセンターポール本体５ａの長手方向の軸に対して略直交するとともに、その内周面がセンターポール本体５ａの外周面５ｄに対向するように、マグネット６に磁気吸着されており、ヨーク８の内周面とセンターポール本体５ａの外周面５ｄとの間にはエアーギャップが形成されている。また、上記略円板状のヨーク８は、ケース９内において、その内周面がセンターポール本体５ａを介して対向し、且つ、その外周面がケース９の内壁面に対向した状態で近接するように配置されている。
【００２８】
ボイスコイルボビン４は、先端と後端とが開口された筒状のボビン１２と、このボビン１２の外周に巻き回されたコイル１３とから構成されている。コイル１３としては、エナメル線または銅線などの導電体を用いれば良く、適宜に決定すれば良い。図示しないが、ボビン１２は、前後方向（図中の矢印Ａ方向）にスライド自在となるようにケース９に取り付けられており、これにより後述する励磁作用によって前後方向に振動可能となる。ボビン１２は、その内径がセンターポール本体５ａの外径よりも僅かに大きく、センターポール本体５ａに被せられている。すなわち、コイル１３をヨーク８の内周面に対向させ、且つ、センターポール本体５ａの外周面５ｄとボビン１２の内周面とが略平行となるようにボビン１２をセンターポール本体５ａに被せる。これによりヨーク８の内周面がコイル１３に近接した状態となるとともに、ボビン１２の内周面がセンターポール本体５ａの外周面５ｄに近接した状態となり、マグネット６とヨーク８とセンターポール５との間で図中の円弧矢印方向に常時一定の磁束ループが形成される。なお、マグネット６及びヨーク８は、センターポール５とマグネット６とヨーク８との間で一定の磁束を形成することができるような箇所に設置されていれば良く、設置箇所は適宜に決定すれば良い。
【００２９】
ヨーク８におけるケース９の外部に露呈されている面にはフレーム１０が接着剤で接合されている。また、このフレーム１０は上記の筐体にビスや接着剤などで接合されており、これにより接地されている。このようにボイスコイルボビン４、センターポール５、マグネット６、７、ヨーク８及びケース９は、フレーム１０によって支持された状態となっている。
【００３０】
ボビン１２には振動板２、３が取り付けられている。振動板２は、複数の屈曲部を有する薄板であり、その一端がボビン１２の外周面に、他端がフレーム１０に接着剤で接合されている。振動板３は、所謂コーン紙であり、その一端がボビン１２の外周面に接合され、他端がジョイント１４を介してフレーム１０に連結されている。センターキャップ１５はアルミ等からなり、ドーム状に形成された本体部と、この本体部の外周縁に沿って形成された鍔部とからなり、この鍔部が振動板３に接着剤で接合されている。これによりボビン１２の開口１２ｂがセンターキャップ１５によって覆われる。
【００３１】
センターポール本体５ａの先端には変換回路１１が設けられている。特に図示しないが、変換回路１１はプリント基板に形成されており、このプリント基板がセンターポール本体５ａに接着剤で固着されており、これにより変換回路１１とセンターポール５とが一体化される。そして、変換回路１１の出力用のプラス側端子１１ａが先端に形成されたリード線１１ｂは、センターポール５の先端側から貫通孔５ｃに挿入され、センターポール５の基端側へと引き出されており、フィードバック回路１６（図２参照）に接続されている。また、変換回路１１のマイナス側端子１１ｃはリード線１１ｄを介してセンターポール５に接続され、接地されている（詳しくは後述）。
【００３２】
図２に示すように、入力端子１７に入力された音声情報を示す電気信号（以下、「音声信号」と記す）はＣＰＵ（Ｃｅｎｔｒａｌ  Ｐｒｏｃｅｓｓｉｎｇ  Ｕｎｉｔ）からなる比較器１８を介して電力増幅器１９に入力される。この電力増幅器１９で増幅された音声信号はボイスコイルボビン４に入力される。すなわち、ボイスコイルボビン４のコイル１３に音声信号を示す電流が流れ、この電流と、センターポール５、マグネット６、及びヨーク８の間に形成されている磁束とによる励磁作用によりボイスコイルボビン４が前後方向（図１に示す矢印Ａ方向）に振動する。これに伴って振動板２、３も振動し、スピーカー１から音声が発せられる。また、スピーカー１には検出器２０が設けられている。この検出器２０は、ボイスコイルボビン４の内側銅箔２２（図４参照）とセンターポール５とで構成される所謂コンデンサであり、このコンデンサで静電容量が形成される。
【００３３】
図４に示すように、ボビン１２は、筒体２１、内側銅箔２２、内側レジスト２３、外側銅箔（導電体膜）２４、及び外側レジスト２５を備えている。筒体２１は、ポリイミドからなる略矩形状のシート（不図示）によって構成されている。具体的には、筒体２１は、ボイスコイルボビン４のベースになるものであり、上記のシートを円筒状に形成することによって構成されている。筒体２１の内周面２１ａには内側銅箔２２が接着剤２６によって貼り付けられている。この内側銅箔２２には変換回路１１の入力用のプラス側端子１１ｅが接続されており、内側銅箔２２と変換回路１１とはリード線１１ｆを介して電気的に接続された状態になっている。また、内側銅箔２２にはゴムからなる内側レジスト２３が膜状にコーティングされており、これにより内側銅箔２２とセンターポール５とで構成されるコンデンサの比誘電率が高まり、コンデンサの静電容量が増大する。
【００３４】
筒体２１の外周面２１ｂには外側銅箔２４が接着剤２７によって貼り付けられており、この外側銅箔２４は上述した筐体（不図示）に接続され、接地されている。また、外側銅箔２４にはゴムからなる外側レジスト２５が膜状にコーティングされており、これによりコイル１３と外側銅箔２４とは電気的に絶縁された状態となっている。
【００３５】
図２に示すように、変換回路１１は、検出器２０で検出された静電容量を電気信号（以下、「検出信号」と記す）に変換して出力するものである。図３に示すように、変換回路１１は、電源２８、オペアンプ２９、及びトランジスタ３０を備えている。オペアンプ２９の非反転入力端子とボイスコイルボビン４の内側銅箔２２とは、リード線１１ｆ（図１参照）を介して接続されている。ボイスコイルボビン４の内側銅箔２２及びオペアンプ２９の非反転入力端子には電源２８によってバイアス電圧が印加されている。オペアンプ２９の出力端子とトランジスタ３０の入力端子とが接続されており、これによりオペアンプ２９から出力された信号がトランジスタ３０の入力端子に入力される。また、トランジスタ３０のマイナス側の出力端子となるエミッタはオペアンプ２９の反転入力端子と接続されており、トランジスタ３０のエミッタとオペアンプ２９の反転入力端子とが接続されたその先にはリード線１１ｄを介してマイナス端子１１ｃが設けられている（図１参照）。このマイナス端子１１ｃはセンターポール５に接続されており、これによりトランジスタ３０のマイナス側の出力端子であるエミッタとオペアンプ２９の反転入力端子とは接地された状態となる。
【００３６】
変換回路１１のオペアンプ２９の非反転入力端子には検出器２０のコンデンサで形成された静電容量を示す電気信号が入力される。このようにして検出器２０から入力された電気信号は、オペアンプ２９及びトランジスタ３０で、Ｃ−Ｖ変換（静電容量−電圧変換）および増幅され、端子１１ｇより検出信号（電気信号）としてフィードバック回路１６を介して比較器１８に入力される（図２参照）。なお、特に図示しないが、フィードバック回路１６は積分回路、バッファアンプ、電子ボリューム、加算回路などから構成されている。
【００３７】
比較器１８は、変換回路１１からフィードバック回路１６を介して入力された検出信号に応答して入力端子１７から入力される音声信号と検出信号とを比較する。そして、その比較結果、すなわち、音声信号の出力レベルと検出信号の出力レベルとを比較し、その差分を算出する。次いで、電力増幅器１９は、その算出結果に基づいて音声信号の出力レベルを調節し、それをボイスコイルボビン４に入力する。
【００３８】
以上のように、図１〜図４に示す構造のスピーカー１によると、入力端子１７に音声信号が入力されると、この音声信号に基づいてボイスコイルボビン４が振動し、この振動に伴って振動板２、３が振動する。これら振動板の振動によってスピーカー１は音声を発生する。このときの振動板２、３の動作状態は、検出器２０で静電容量を検出することによって認識される。つまり、ボイスコイルボビン４の内側銅箔２２とセンターポール本体５ａの外周面５ｄとの対向面積が変化し、これにより内側銅箔２２と外周面５ｄとの間で形成される静電容量が変化する。この静電容量の変化が振動板２、３の変位に相当するものとなる。検出器２０で検出された静電容量を示す電気信号がリード線１１ｆを介して変換回路１１に入力される。そして、その静電容量を示す電気信号は、変換回路１１で検出信号に変換され、リード線１１ｂを介してフィードバック回路１６に入力される。
【００３９】
本発明では、変換回路１１をセンターポール５ａの先端に設けたので、検出器２０と変換回路１１とを接続するリード線１１ｆを短くすることができ、リード線１１ｆに影響を及ぼす外乱ノイズを最小限に抑制することができる。つまり、検出器２０で検出した静電容量を正確に変換回路１１に入力することができる。また、ボイスコイルボビン４の外側銅箔２４がシールドとなって外乱ノイズを遮断するので、外乱ノイズがリード線１１ｆと変換回路１１とに与える影響をより一層抑制することができ、検出器２０で検出した静電容量をより一層正確に検出信号に変換することができる。また、変換回路１１とフィードバック回路１６とを接続するリード線１１ｂを貫通孔５ｃに通したので、外乱ノイズをセンターポール５で遮断することができ、これにより変換回路１１で変換された検出信号を正確にフィードバック回路１６に入力することができる。また、変換回路１１のマイナス側端子１１ｃを接地したので、変換回路１１に存在する浮遊静電容量を抑制するとともに外乱ノイズを排除することができ、これにより検出器２０から得た静電容量をより一層正確に検出信号に変換することができる。また、センターキャップ１５、外側銅箔２４、及びセンターポール５といったシールド機能を有する部材によりリード線１１ｆ及び変換回路１１を取り囲むようにしたので、リード線１１ｆ及び変換回路１１に対しての外乱ノイズの影響をより一層抑制することができる。
【００４０】
なお、上述の形態は本発明の好適な形態の一例ではあるがこれに限定されるものではなく本発明の要旨を逸脱しない範囲において種々変形実施可能である。上記実施形態では、変換回路１１をセンターポール本体５ａの先端に取り付けたが、センターポール５及びボイスコイルボビン４の少なくともいずれか一方を支持している支持部材に変換回路１１を取り付けても良く、例えば、変換回路１１をケース９またはフレーム１０に取り付ける。この場合、ボイスコイルボビン４とセンターポール５との間で形成される静電容量が外乱ノイズの影響を受けないだけの大きさであることが好ましい。つまり、ボイスコイルボビン４とセンターポール５との間で形成された静電容量を示す電気信号が変換回路１１に入力されるまでの間に外乱ノイズの影響を受けないくらいの大きさであれば良い。このようにして変換回路１１をケース９またはフレーム１０に取り付けても変換回路１１と検出器２０とを接続するリード線を短くすることができ、スピーカーの小型化に寄与することができる。
【００４１】
また、変換回路１１を振動板２または振動板３に取り付けても良い。この場合もやはりボイスコイルボビン４とセンターポール５との間で形成される静電容量が外乱ノイズの影響を受けないだけの大きさであることが好ましい。このようにして変換回路１１を振動板２または振動板３に取り付けても変換回路１１と検出器２０とを接続するリード線を短くすることができ、スピーカーの小型化に寄与することができる。
【００４２】
上記実施形態では、変換回路１１のマイナス側端子１１ｃを接地するにあたってマイナス側端子１１ｃをセンターポール５に接続したが、これに限ることなく、マイナス側端子１１ｃを接地されているケース９やフレーム１０に接続しても良い。
【００４３】
上記実施形態では、筒体２１の内周面２１ａに接着剤２６を用いて内側銅箔２２を貼り付け、筒体２１の外周面２１ｂに接着剤２７を用いて外側銅箔２４を貼り付けたが、銅を蒸着することで筒体２１の内周面２１ａと外周面２１ｂとのそれぞれに銅膜を形成しても良い。このように銅膜を形成する方法は適宜に変更可能である。
【００４４】
上記実施形態では、内側銅箔２２に内側レジスト２３を、外側銅箔２４に外側レジスト２５をコーティング処理によって形成したが、薄膜状に形成された内側レジスト及び外側レジストを内側銅箔２２及び外側銅箔２４に接着剤を用いて取り付けるようにしても良い。このように各レジストは膜状に形成されていれば良く、それを形成する方法は適宜に変更可能である。
【００４５】
上記実施形態では、筒体２１の内周面２１ａ及び外周面２１ｂに銅膜を形成したが、これに限ることなく、例えば、アルミニウムや導電性のプラスチックで膜を形成しても良く、筒体３０の内周面３０ａ及び外周面３０ｂには非磁性の導電体膜が形成されていれば良い。
【００４６】
上記実施形態では、筒体２１をポリイミドによって構成したが、材質はこれに限ることなく、例えば紙であっても良く、絶縁体で構成されていれば適宜に変更可能である。
【図面の簡単な説明】
【００４７】
【図１】本発明のスピーカーの構成を示す断面図である。
【図２】スピーカーの電気的構成を示す機能ブロック図である。
【図３】検出器と変換回路を示す回路図である。
【図４】ボイスコイルボビン、センターポール、及びヨークの一部を示す断面図である。
【符号の説明】
【００４８】
１  スピーカー
２、３  振動板
４  ボイスコイルボビン
５  センターポール
５ｃ  貫通孔
９  ケース（支持部材）
１０  フレーム（支持部材）
１１  変換回路
１１ｃ  マイナス側端子
２１  筒体
２１ｂ  外周面
２２  内側銅箔
２４  外側銅箔（導電体膜）
【図１】
2007020152.tif 000003
【図２】
2007020152.tif 000004
【図３】
2007020152.tif 000005
【図４】
2007020152.tif 000006